(57)【特許請求の範囲】
【請求項１】
電話機であって、
複数のダイヤルキーと、
これら複数のダイヤルキーの配列構成に対応したキー表示を表示画面上に表示する制御手段と、
前記キー表示毎に設定した、受信信号を捕捉する機能を記憶する機能記憶手段と、
前記受信信号が捕捉されたことを示すキー表示の態様を蓄積する表示態様蓄積手段と、を備え、
前記制御手段は、
前記受信信号を捕捉した場合に、前記機能記憶手段に記憶されたキー表示毎の機能に基づき、前記表示態様蓄積手段に蓄積された、前記受信信号が捕捉されたことを示すキー表示の態様を前記表示画面上に表示させると共に、前記キー表示に対応したダイヤルキーのキー操作に応じて、前記キー表示に対応した機能に関わる制御動作を実行することを特徴とする電話機。
【請求項２】
前記機能記憶手段に記憶された機能を設定変更する設定変更手段を有することを特徴とする請求項１記載の電話機。
【請求項３】
複数の外線を収容接続する通信制御装置に接続され、
前記機能は、前記受信信号として、前記外線毎に割り当てた外線の着信を捕捉する機能とし、
前記制御手段は、
前記外線に対応したキー表示を行い、前記表示態様蓄積手段に蓄積された、前記外線の着信が捕捉されたことを示すキー表示の態様を前記表示画面上に表示させると共に、前記キー表示に対応したダイヤルキーのキー操作に応じて、前記キー表示に対応した外線に関わる制御動作を実行することを特徴とする請求項１又は２記載の電話機。
【請求項４】
前記制御手段は、
待機状態において前記通信制御装置から外線の着信を捕捉すると、前記外線に対応したキー表示を行うことを特徴とする請求項３記載の電話機。
【請求項５】
複数の操作キーと、表示切替キーのキー操作に応じて、これら複数の操作キーの配列構成で前記操作キーに対応したキー表示を表示手段の表示画面上に表示する制御手段とを有する電話機であって、
前記キー表示毎に設定した機能を記憶する機能記憶手段と、
前記機能に関わる状態変化を逐次蓄積する状態蓄積手段と、を備え、
前記制御手段は、
前記表示切替キーにてキー操作が行われると、前記機能記憶手段に記憶されたキー表示毎の機能に基づき、前記状態蓄積手段に蓄積された前記機能に関わるキー表示の状態を前記表示手段の表示画面上に表示させると共に、前記キー表示に対応した前記操作キーのキー操作に応じて、同キー表示に対応した機能に関わる制御動作を実行し、
複数のボイスメールボックスを収容接続する通信制御装置に接続され、
前記機能は、前記ボイスメールボックス毎に割り当てたボイスメール捕捉機能とし、
前記制御手段は、
前記ボイスメールボックスに対応したボイスメール捕捉機能に関わるキー表示を行い、前記状態蓄積手段に蓄積されたボイスメールボックスの状態を前記表示手段の表示画面上に表示させると共に、前記キー表示に対応した前記操作キーのキー操作に応じて、同キー表示に対応した前記ボイスメールボックスのボイスメール捕捉機能に関わる制御動作を実行することを特徴とする電話機。
【請求項６】
前記制御手段は、
前記通信制御装置から表示切替を指示する表示切替信号を受信すると、前記表示切替信号に基づくキー表示を表示画面上に表示させることを特徴とする請求項１乃至４の何れか１項に記載の電話機。
【請求項７】
前記受信信号はボイスメールであることを特徴とする請求項１乃至４又は６の何れか１項に記載の電話機。
【請求項８】
前記制御手段は、
前記キー表示の態様を、前記キー表示の点滅周期制御で実行することを特徴とする請求項１乃至４又は６又は７の何れか１項に記載の電話機。
【請求項９】
前記制御手段は、
前記キー表示の態様を、前記キー表示の色制御で実行することを特徴とする請求項１乃至４又は６乃至８の何れか１項に記載の電話機。
【請求項１０】
複数のダイヤルキー及び表示画面を備えた電話機の操作キー制御方法であって、
複数のダイヤルキーの配列構成に対応したキー表示を表示画面上に画面表示するステップと、
前記キー表示毎に設定した、受信信号を捕捉する機能を記憶するステップと、
前記受信信号が捕捉されたことを示すキー表示の態様を蓄積するステップと、
前記受信信号を捕捉した場合に、キー表示毎の機能に基づき、前記受信信号が捕捉されたことを示すキー表示の態様を前記表示画面上に表示するステップと、
前記キー表示に対応したダイヤルキーのキー操作に応じて、前記キー表示に対応した機能に関わる制御動作を実行するステップとを有することを特徴とする電話機の操作キー制御方法。
【発明の詳細な説明】
【技術分野】
【０００１】
本発明は、例えば構内交換機、ボタン電話主装置又はＩＰ電話システム等の通信制御装置に収容接続され、操作キーの配置スペースに制限のある電話機及び、その電話機の操作キー制御方法に関する。
【背景技術】
【０００２】
従来、このような電話機としては、複数の操作キー、例えばダイヤルキーの配列構成で同ダイヤルキーに対応したキー表示を表示部の表示画面上に表示し、この表示画面上のキー表示の配列を変更することで、ダイヤルキーの配列を設定変更可能にしたものが知られている(例えば特許文献１参照)。
【０００３】
この特許文献１の電話機によれば、表示画面上のキー表示の配列を変更することで、ダイヤルキーの配列を設定変更可能にしたので、ユーザは、ダイヤルキーの配列を変えることで操作性の向上を図ることができる。
【０００４】
また、従来の電話機としては、ダイヤルキーに対応した機能を表示部の表示画面上に表示し、ダイヤルキーの通常操作に応じて同ダイヤルキーに対応したダイヤル番号を入力し、ダイヤルキーの長押し操作に応じて同ダイヤルキーに対応した機能に関わる制御動作を実行するものが知られている(例えば特許文献２参照)。
【０００５】
この特許文献２の電話機によれば、ダイヤルキーに対応した機能を表示画面上に表示し、ダイヤルキーの長押し操作に応じて同ダイヤルキーに対応した機能に関わる制御動作を実行するようにしたので、取扱説明書を読まなくても簡単な操作で所望の機能を実行することができる。
【０００６】
さらに、従来の電話機としては、複数の外線の内、割り当てられた外線を捕捉する所定個数の外線キーと、外線キーに割り当てられた外線の運用状態を表示する表示部とを有し、ページ操作で複数の外線から、所定個数単位で外線を外線キーに順次割り当てるようにしたものが知られている(例えば特許文献３参照)。
【０００７】
この特許文献３の電話機によれば、ページ操作で複数の外線から所定個数単位で外線を外線キーに割り当てられるようにしたので、外線キーの数が制限されても、必要な外線数に応じた捕捉が可能になる。
【特許文献１】特開２００１−３５２３８９号公報（要約書及び図１参照）
【特許文献２】特開２００３−１７４４９７号公報（要約書及び図１参照）
【特許文献３】特開２００１−１３６５５２号公報（要約書及び図１参照）
【発明の開示】
【発明が解決しようとする課題】
【０００８】
しかしながら、特許文献１の電話機によれば、複数のダイヤルキーの配列構成で同ダイヤルキーに対応したキー表示を表示部の表示画面上に表示し、この表示画面上のキー表示の配列を変更することで、ダイヤルキーの配列を設定変更可能にしたが、あくまでもダイヤルキーに割り当てた機能は固定であり、同ダイヤルキーに電話機内部の機能から任意の割当機能、例えば外線捕捉機能を割り当てることはできない。
【０００９】
また、特許文献２の電話機によれば、ダイヤルキーに対応した機能を表示部の表示画面上で表示し、ダイヤルキーの長押し操作に応じて同ダイヤルキーに対応した機能に関わる制御動作を実行するようにしたが、あくまでもダイヤルキーに割り当てた機能は固定であり、同ダイヤルキーに電話機内部の機能から任意の割当機能、例えば外線捕捉機能を割り当てることはできない。
【００１０】
また、特許文献３の電話機によれば、複数の外線の内、割り当てられた外線を捕捉する所定個数の外線キーと、外線キーに割り当てられた外線の運用状態を表示する表示部とを有し、ページ操作で複数の外線から、所定個数単位で外線を外線キーに順次割り当てるようにしたが、例えばダイヤルキーとは別個に外線キーを設ける必要があるため、操作キーの省スペース化に逆行するものである。
【００１１】
さらに特許文献３の電話機によれば、表示部に表示する外線の運用状態は外線キーに割り当てられた外線に関わる運用状態しか表示できないため、操作キーの省スペース化を考慮すると、外線キーの数はせいぜい４個程度であることから、表示画面上では４個までの外線の運用状態しか表示することができない。
【００１２】
本発明は上記点に鑑みてなされたものであり、その目的とするところは、操作キーに任意の機能を割当可能にすることで操作キーの省スペース化を図りながら、同機能に関わる運用状態を把握することができる電話機及び、その電話機の操作キー制御方法を提供することにある。
【課題を解決するための手段】
【００１３】
上記目的を達成するために本発明の電話機は、複数のダイヤルキーと、これら複数のダイヤルキーの配列構成に対応したキー表示を表示画面上に表示する制御手段と、前記キー表示毎に設定した、受信信号を捕捉する機能を記憶する機能記憶手段と、前記受信信号が捕捉されたことを示すキー表示の態様を蓄積する状態蓄積手段と、を備え、前記制御手段は、前記受信信号を捕捉した場合に、前記機能記憶手段に記憶されたキー表示毎の機能に基づき、前記表示態様蓄積手段に蓄積された、前記受信信号が捕捉されたことを示すキー表示の態様を前記表示画面上に表示させると共に、前記キー表示に対応したダイヤルキーのキー操作に応じて、前記キー表示に対応した機能に関わる制御動作を実行するようにした。
【００１４】
また、上記目的を達成するために本発明の電話機の操作キー制御方法は、複数のダイヤルキー及び表示画面を備えた電話機の操作キー制御方法であって、複数のダイヤルキーの配列構成に対応したキー表示を表示画面上に画面表示するステップと、前記キー表示毎に設定した、受信信号を捕捉する機能を記憶するステップと、前記受信信号が捕捉されたことを示すキー表示の態様を蓄積するステップと、前記受信信号を捕捉した場合に、キー表示毎の機能に基づき、前記受信信号が捕捉されたことを示すキー表示の態様を表示画面上に表示するステップと、前記キー表示に対応したダイヤルキーのキー操作に応じて、前記キー表示に対応した機能に関わる制御動作を実行するステップとを有するようにした。
【発明の効果】
【００１５】
上記のように構成された本発明の電話機によれば、複数のダイヤルキーの配列構成に対応したキー表示を表示画面上に表示し、前記キー表示毎に設定した、受信信号を捕捉する機能を記憶し、前記受信信号が捕捉されたことを示すキー表示の態様を蓄積し、前記受信信号を捕捉した場合に、前記機能記憶手段に記憶されたキー表示毎の機能に基づき、前記表示機能蓄積手段に蓄積された、前記受信信号が捕捉されたことを示すキー表示の態様を表示画面上に表示させると共に、前記キー表示に対応したダイヤルキーのキー操作に応じて、前記キー表示に対応した機能に関わる制御動作を実行するようにしたので、ダイヤルキーに対応したキー表示に、例えば外線捕捉機能等の任意機能を割当可能にすることでダイヤルキーの省スペース化を図ると共に、キー表示で、例えば外線捕捉機能等の任意機能に関わる運用状態、例えば保留中及び着信中等を把握することができる。
【００１６】
上記のように構成された本発明の電話機の操作キー制御方法によれば、複数のダイヤルキーの配列構成に対応したキー表示を表示画面上に表示し、前記キー表示毎に設定した、受信信号を捕捉する機能を記憶し、前記受信信号が捕捉されたことを示すキー表示の態様を蓄積し、前記受信信号を捕捉した場合に、キー表示毎の機能に基づき、前記受信信号が捕捉されたことを示すキー表示の態様を表示画面上に表示させると共に、前記キー表示に対応したダイヤルキーのキー操作に応じて、前記キー表示に対応した機能に関わる制御動作を実行するようにしたので、ダイヤルキーに対応したキー表示に、例えば外線捕捉機能等の任意機能を割当可能にすることでダイヤルキーの省スペース化を図ることができると共に、キー表示で、例えば外線捕捉機能等の任意機能に関わる運用状態、例えば保留中及び着信中等を把握することができる。
【発明を実施するための最良の形態】
【００１７】
本願請求項１記載の電話機は、複数のダイヤルキーと、これら複数のダイヤルキーの配列構成に対応したキー表示を表示画面上に表示する制御手段と、前記キー表示毎に設定した、受信信号を捕捉する機能を記憶する機能記憶手段と、前記受信信号が捕捉されたことを示すキー表示の態様を蓄積する表示態様蓄積手段と、を備え、前記制御手段は、前記受信信号を捕捉した場合に、前記機能記憶手段に記憶されたキー表示毎の機能に基づき、前記表示態様蓄積手段に蓄積された、前記受信信号が捕捉されたことを示すキー表示の態様を前記表示画面上に表示させると共に、前記キー表示に対応したダイヤルキーのキー操作に応じて、前記キー表示に対応した機能に関わる制御動作を実行するようにした。
【００１８】
従って、本願請求項１記載の電話機によれば、複数のダイヤルキーの配列構成に対応したキー表示を表示画面上に表示し、前記キー表示毎に設定した、受信信号を捕捉する機能を記憶し、前記受信信号が捕捉されたことを示すキー表示の態様を蓄積し、前記受信信号を捕捉した場合に、前記機能記憶手段に記憶されたキー表示毎の機能に基づき、前記表示機能蓄積手段に蓄積された、前記受信信号が捕捉されたことを示すキー表示の態様を表示画面上に表示させると共に、前記キー表示に対応したダイヤルキーのキー操作に応じて、前記キー表示に対応した機能に関わる制御動作を実行するようにしたので、ダイヤルキーに対応したキー表示に、例えば外線捕捉機能等の任意機能を割当可能にすることでダイヤルキーの省スペース化を図ると共に、キー表示で、例えば外線捕捉機能等の任意機能に関わる運用状態、例えば保留中及び着信中等を把握することができる。
【００１９】
本願請求項２記載の電話機は、上記請求項１記載の構成に加えて、前記機能記憶手段に記憶された機能を設定変更する設定変更手段を有するようにした。
【００２０】
従って、本願請求項２記載の電話機によれば、上記請求項１記載の効果に加えて、前記設定変更手段を使用して前記機能記憶手段に記憶された機能を設定変更するようにしたので、例えば外線捕捉機能等の任意機能を任意のキー表示に割り当てることができる。
【００２１】
本願請求項３記載の電話機は、上記請求項１又は２記載の構成に加えて、複数の外線を収容接続する通信制御装置に接続され、前記機能は、前記受信信号として、前記外線毎に割り当てた外線の着信を捕捉する機能とし、前記制御手段は、前記外線に対応したキー表示を行い、前記表示態様蓄積手段に蓄積された、前記外線の着信が捕捉されたことを示すキー表示の態様を前記表示画面上に表示させると共に、前記キー表示に対応したダイヤルキーのキー操作に応じて、前記キー表示に対応した外線の外線捕捉機能に関わる制御動作を実行するようにした。
【００２２】
従って、本願請求項３記載の電話機によれば、上記請求項１又は２記載の効果に加えて、前記外線に対応した外線捕捉機能に関わるキー表示を行い、前記状態蓄積手段に蓄積された、前記外線の着信が捕捉されたことを示すキー表示の態様を前記表示画面上に表示させると共に、前記キー表示に対応したダイヤルキーのキー操作に応じて、前記キー表示に対応した外線の外線捕捉機能に関わる制御動作を実行するようにしたので、外線捕捉キーをわざわざ増設する必要もなく、ダイヤルキーの省スペース化を図りながら、キー表示に対応した外線の運用状態も把握することができる。
【００２３】
本願請求項４記載の電話機は、上記請求項３記載の構成に加えて、前記制御手段は、待機状態において前記通信制御装置から外線の着信を捕捉すると、前記外線に対応したキー表示を行うようにした。
【００２４】
従って、本願請求項４記載の電話機によれば、上記請求項３記載の効果に加えて、前記通信制御装置から外線の着信を捕捉すると、前記外線に対応したキー表示を行い、前記状態蓄積手段に蓄積された外線の状態を前記表示手段の表示画面上で表示させるようにしたので、所定操作を実行しなくても、外線着信信号に応じて自動的に外線の外線捕捉機能に関わるキー表示を表示画面上に表示させることができる。
【００２５】
本願請求項５記載の電話機は、複数の操作キーと、表示切替キーのキー操作に応じて、これら複数の操作キーの配列構成で前記操作キーに対応したキー表示を表示手段の表示画面上に表示する制御手段とを有する電話機であって、前記キー表示毎に設定した機能を記憶する機能記憶手段と、前記機能に関わる状態変化を逐次蓄積する状態蓄積手段と、を備え、前記制御手段は、前記表示切替キーにてキー操作が行われると、前記機能記憶手段に記憶されたキー表示毎の機能に基づき、前記状態蓄積手段に蓄積された前記機能に関わるキー表示の状態を前記表示手段の表示画面上に表示させると共に、前記キー表示に対応した前記操作キーのキー操作に応じて、同キー表示に対応した機能に関わる制御動作を実行し、複数のボイスメールボックスを収容接続する通信制御装置に接続され、前記機能は、前記ボイスメールボックス毎に割り当てたボイスメール捕捉機能とし、前記制御手段は、前記ボイスメールボックスに対応したボイスメール捕捉機能に関わるキー表示を行い、前記状態蓄積手段に蓄積されたボイスメールボックスの状態を前記表示手段の表示画面上に表示させると共に、前記キー表示に対応した前記操作キーのキー操作に応じて、同キー表示に対応した前記ボイスメールボックスのボイスメール捕捉機能に関わる制御動作を実行するようにした。
【００２６】
従って、本願請求項５記載の電話機によれば、前記ボイスメールボックスに対応したボイスメール捕捉機能に関わるキー表示を行い、前記状態蓄積手段に蓄積されたボイスメールボックスの状態を前記表示手段の表示画面上で変化表示させると共に、前記キー表示に対応した前記操作キーのキー操作に応じて、同キー表示に対応した前記ボイスメールボックスのボイスメール捕捉機能に関わる制御動作を実行するようにしたので、ボイスメール捕捉キーをわざわざ増設する必要もなく、操作キーの省スペース化を図りながら、キー表示に対応したボイスメールボックスの運用状態も把握することができる。
【００２７】
本願請求項６記載の電話機は、上記請求項１乃至４の何れか１項に記載の構成に加えて、前記制御手段は、前記通信制御装置から表示切替を指示する表示切替信号を受信すると、前記表示切替信号に基づくキー表示を表示画面上に表示させるようにした。
【００２８】
従って、本願請求項６記載の電話機によれば、上記請求項１乃至４の何れか１項に記載の効果に加えて、前記通信制御装置から表示切替を指示する表示切替信号を受信すると、前記表示切替信号に基づくキー表示を表示画面上に表示させるようにしたので、所定操作を実行しなくても、表示切替信号に応じて自動的に同表示切替信号に基づくキー表示を表示画面上に表示させることができる。
【００２９】
本願請求項７記載の電話機は、上記請求項１乃至４又は６の何れか１項に記載の構成に加えて、前記受信信号はボイスメールであるようにした。
【００３０】
従って、本願請求項７記載の電話機によれば、上記請求項１乃至４又は６の何れか１項に記載の効果に加えて、前記受信信号はボイスメールであるようにしたので、ダイヤルキーの省スペース化を図ると共に、キー表示で、ボイスメールの捕捉を容易に理解できる。
【００３１】
本願請求項８記載の電話機は、上記請求項１乃至４又は６又は７の何れか１項に記載の構成に加えて、前記制御手段は、前記キー表示の態様を、前記キー表示の点滅周期制御で実行するようにした。
【００３２】
従って、本願請求項８記載の電話機によれば、上記請求項１乃至４又は６又は７の何れか１項に記載の効果に加えて、前記キー表示の態様を、前記キー表示の点滅周期制御で実行するようにしたので、ユーザは、キー表示の点灯や点滅で運用状態を把握することができる。
【００３３】
本願請求項９記載の電話機は、上記請求項１乃至４又は６乃至８の何れか１項に記載の構成に加えて、前記制御手段は、前記キー表示の態様を、前記キー表示の色制御で実行するようにした。
【００３４】
従って、本願請求項９記載の電話機によれば、上記請求項１乃至４又は６乃至８の何れか１項に記載の効果に加えて、前記キー表示の態様を、前記キー表示の色制御で実行するようにしたので、ユーザは、キー表示の色で運用状態を把握することができる。
【００３５】
本願請求項１０記載の電話機の操作キー制御方法は、複数のダイヤルキー及び表示画面を備えた電話機の操作キー制御方法であって、複数のダイヤルキーの配列構成に対応したキー表示を表示画面上に画面表示するステップと、前記キー表示毎に設定した、受信信号を捕捉する機能を記憶するステップと、前記受信信号が捕捉されたことを示すキー表示の態様を蓄積するステップと、前記受信信号を捕捉した場合に、キー表示毎の機能に基づき、前記受信信号が捕捉されたことを示すキー表示の態様を前記表示画面上に表示するステップと、前記キー表示に対応したダイヤルキーのキー操作に応じて、前記キー表示に対応した機能に関わる制御動作を実行するステップとを有するようにした。
【００３６】
従って、本願請求項１０記載の電話機の操作キー制御方法によれば、複数のダイヤルキーの配列構成に対応したキー表示を表示画面上に表示し、前記キー表示毎に設定した、受信信号を捕捉する機能を記憶し、前記受信信号が捕捉されたことを示すキー表示の態様を蓄積し、前記受信信号を捕捉した場合に、キー表示毎の機能に基づき、前記受信信号が捕捉されたことを示すキー表示の態様を前記表示画面上に表示させると共に、前記キー表示に対応したダイヤルキーのキー操作に応じて、前記キー表示に対応した機能に関わる制御動作を実行するようにしたので、ダイヤルキーに対応したキー表示に、例えば外線捕捉機能等の任意機能を割当可能にすることでダイヤルキーの省スペース化を図ることができると共に、キー表示で、例えば外線捕捉機能等の任意機能に関わる運用状態、例えば保留中及び着信中等を把握することができる。
【００３７】
(実施の形態１)
以下、図面に基づいて本発明の電話機に関わる第１の実施の形態を示すボタン電話システムについて説明する。図１は第１の実施の形態を示すボタン電話システムの概略構成を示すシステム図である。
【００３８】
図１に示すボタン電話システム１は、例えば企業内の通信システムに相当し、複数の無線子機２を無線収容接続する無線親機３と、多機能電話機４と、これら無線親機３及び多機能電話機４を収容接続すると共に、公衆網５の複数の外線５Ａを収容接続し、システム全体の呼制御を司る主装置６とを有している。
【００３９】
図２は無線親機３内部の概略構成を示すブロック図である。
【００４０】
図２に示す無線親機３は、主装置６との通信インタフェースを司る主装置インタフェース１１と、複数の無線子機２との無線通信インタフェースを司る親機側無線部１２と、無線子機２及び主装置６間の通話信号に音声信号処理を施す親機側ＤＳＰ１３と、無線子機２及び主装置６間の通話信号に符号化処理を施す親機側コーデック１４と、無線子機２及び主装置６間の通話信号に信号制御を施す信号制御部１５と、様々な情報を記憶する親機側メモリ１６と、この無線親機３全体を制御する親機側ＣＰＵ１７とを有している。
【００４１】
また、親機側ＣＰＵ１７は、親機側無線部１２を制御する親機側無線制御部１７Ａと、信号制御部１５を制御する親機側信号制御部１７Ｂと、親機側ＤＳＰ１３を制御する親機側ＤＳＰ制御部１７Ｃと、親機側メモリ１６をメモリ制御する親機側メモリ制御部１７Ｄと、この親機側ＣＰＵ１７全体を制御する親機側アプリケーション制御部１７Ｅとを有している。
【００４２】
図３は無線子機２の操作盤面を示す説明図、図４は無線子機２内部の概略構成を示すブロック図である。
【００４３】
図３に示す無線子機２の操作盤面は、ＬＣＤ表示部２１と、操作キー２２とを有し、操作キー２２は、ダイヤル番号を入力するダイヤルキー２２Ａと、着信応答する開始キー２２Ｂと、通話を終了する終了キー２２Ｃと、通話を保留する保留キー２２Ｄと、通話を転送する転送キー２２Ｅと、表示モードを切替える表示モード切替キー２２Ｆとを有している。
【００４４】
図４に示す無線子機２は、ＬＣＤ表示部２１及び操作キー２２の他に、無線親機３との無線通信インタフェースを司る子機側無線部２３と、通話に使用するスピーカ２４及びマイク２５と、無線親機３との通話信号に音声信号処理を施す子機側ＤＳＰ２６と、無線親機３との通話信号に符号処理を施す子機側コーデック２７と、様々な情報を記憶する子機側メモリ２８と、無線子機２全体を制御する子機側ＣＰＵ２９とを有している。
【００４５】
子機側ＣＰＵ２９は、子機側無線部２３を制御する子機側無線制御部２９Ａと、ＬＣＤ表示部２１を表示制御する子機側ＬＣＤ制御部２９Ｂと、子機側ＤＳＰ２６を制御する子機側ＤＳＰ制御部２９Ｃと、操作キー２２を監視制御する操作キー制御部２９Ｄと、子機側メモリ２８をメモリ制御する子機側メモリ制御部２９Ｅと、この子機側ＣＰＵ２９全体を制御する子機側アプリケーション制御部２９Ｆとを有している。
【００４６】
図５は主装置６側で管理する外線管理テーブル６１のテーブル内容を端的に示す説明図である。
【００４７】
図５に示す外線管理テーブル６１は、主装置６側で収容する外線を示す外線番号６１Ａと、この外線番号６１Ａに対応した外線５Ａの運用状態６１Ｂとを記憶管理し、主装置６は、外線５Ａの運用状態を監視し、外線５Ａの運用状態の状態変化を検出すると、同外線５Ａの外線番号６１Ａに対応した運用状態６１Ｂを更新登録するものである。尚、運用状態６１Ｂとは、例えば着信中、保留中、空き状態や通話中等がある。
【００４８】
主装置６側では、外線管理テーブル６１を参照することで、外線５Ａの運用状態を把握することができるものである。
【００４９】
主装置６側では、外線５Ａ毎に状態変化を検出すると、この状態変化に関わる運用状態を外線管理テーブル６１に更新すると共に、この状態変化に関わる運用状態を含む外線ＬＥＤ情報を無線親機３に通知し、無線親機３はこの外線ＬＥＤ情報を親機側メモリ１６に蓄積するものである。
【００５０】
図６は外線ＬＥＤ情報のデータ構成を端的に示す説明図である。
【００５１】
図６に示す外線ＬＥＤ情報３０は、外線５Ａを識別する外線番号３０Ａと、同外線番号３０Ａに対応した外線５Ａの運用状態３０Ｂと、運用状態３０Ｂに対応したＬＥＤ色情報３０Ｃと、運用状態３０Ｂに対応したＬＥＤ点滅周期情報３０Ｄとを有している。例えば“外線１”の運用状態が着信中の場合、ＬＥＤ色情報３０Ｃは“赤”、ＬＥＤ点滅周期情報３０Ｄは“３０ｍ秒点滅周期”ということになる。また、例えば“外線３”の運用状態が保留中の場合、ＬＥＤ色情報３０Ｃは“緑”、ＬＥＤ点滅周期情報３０Ｄは“３０ｍ秒点滅周期”ということになる。
【００５２】
図７は無線親機３の親機側メモリ１６で管理する子機管理テーブル４０のテーブル内容を端的に示す説明図である。
【００５３】
図７に示す子機管理テーブル４０は、無線親機３が収容接続する無線子機２の内線番号４０Ａと、この内線番号４０Ａに対応した無線子機２の現在設定中の表示モード４０Ｂとを管理し、無線親機３は、この子機管理テーブル４０を参照して、無線子機２毎に現在設定中の表示モードを把握できるものである。
【００５４】
図８は無線子機２の子機側メモリ２８側で管理するダイヤルキー管理テーブル５０のテーブル内容を端的に示す説明図である。
【００５５】
図８に示すダイヤルキー管理テーブル５０は、表示モード５０Ａ毎に、各ダイヤルキー２２Ａの割当機能５０Ｂを記憶管理し、例えば表示モードが通常モードの場合、“１”のダイヤルキー２２Ａの割当機能５０Ｂはダイヤル番号“１”、表示モード（１）、すなわち外線表示モードの場合、“１”のダイヤルキー２２Ａの割当機能５０Ｂは“外線１”の外線捕捉機能、表示モード（２）、すなわちボイスメール表示モードの場合、“１”のダイヤルキー２２Ａの割当機能５０Ｂは“ボイスメールボックス１”のメールボックス捕捉機能ということになる。尚、これら割当機能５０Ｂは設定変更可能になる。
【００５６】
また、表示モードが通常モードとは、操作キーに対応する表示部への状態表示は行われず、従来の操作に応じた電話表示制御が行われるものである。例えば待機状態の電話機が通常モードの場合、時刻表示等が表示部で表示される。
【００５７】
無線子機２の子機側アプリケーション制御部２９Ｆは、操作キー制御部２９Ｄを通じて、表示モード（１）を選択する表示モード切替キー２２Ｆのキー操作を検出すると、表示モード（１）に設定するものである。
【００５８】
子機側アプリケーション制御部２９Ｆは、表示モード（１）を設定すると、図８に示すダイヤルキー管理テーブル５０を参照して、同表示モード（１）に対応するダイヤルキー２２Ａに外線捕捉機能を割り当て、子機側ＬＣＤ制御部２９Ｂを通じて、ダイヤルキー２２Ａの配列構成で同ダイヤルキー２２Ａに対応した、外線キー表示をＬＣＤ表示部２１に画面表示するものである。尚、例えば“１”のダイヤルキー２２Ａのキー表示は“外線１”の外線キー表示、“２”のダイヤルキー２２Ａのキー表示は“外線２”の外線キー表示、“＃”のダイヤルキー２２Ａのキー表示は“外線１２”の外線キー表示等に相当するものである。
【００５９】
さらに、子機側アプリケーション制御部２９Ｆは、無線親機３を通じて外線ＬＥＤ情報を検出すると、この外線ＬＥＤ情報内の各外線５Ａの運用状態、ＬＥＤ色情報及びＬＥＤ点滅周期情報に基づき、子機側ＬＣＤ制御部２９Ｂを通じて、外線５Ａの外線キー表示を表示制御するものである。尚、例えば“外線１２”が着信中の場合、“＃”のダイヤルキー２２Ａに相当する“外線１２”の外線キー表示を赤色点滅するものである。
【００６０】
子機側アプリケーション制御部２９Ｆは、操作キー制御部２９Ｄを通じてＬＣＤ表示部２１に表示中の外線キー表示に対応したダイヤルキー２２Ａのキー操作を検出すると、このキー操作に対応した制御動作を実行するものである。例えば子機側アプリケーション制御部２９Ｆは、例えば“外線１２”の外線キー表示が赤色点滅中の場合、“外線１２”の外線キー表示に対応する“＃”のダイヤルキー２２Ａのキー操作を検出すると、“外線１２”の着信を捕捉すべく、“外線１２”の外線捕捉コマンドを無線親機３経由で主装置６に通知するものである。
【００６１】
主装置６側では、“外線１２”の外線捕捉コマンドを検出すると、着信中の“外線１２”を捕捉して無線子機２とのパス接続を指示すべく、無線親機３経由で無線子機２に通知し、無線子機２側では、パス接続指示に応じて“外線１２”に対して無線子機２を外線接続するものである。
【００６２】
また、子機側アプリケーション制御部２９Ｆは、ＬＣＤ表示部２１の表示画面上で登録可能な複数の割当機能から任意の割当機能を選択し、この選択操作に応じてダイヤルキー管理テーブル５０内のダイヤルキー２２Ａ毎に、例えば外線捕捉機能やボイスメール捕捉機能だけでなく、任意の割当機能を設定すると共に、任意の割当機能を設定した様々な表示モードが新たに設定可能である。
【００６３】
尚、請求項記載の電話機は無線子機２及び無線親機３、表示手段はＬＣＤ表示部２１、制御手段、設定変更手段は子機側アプリケーション制御部２９Ｆ及び親機側アプリケーション制御部１７Ｅ、機能記憶手段はダイヤルキー管理テーブル５０、状態蓄積手段は親機側メモリ１６の外線ＬＥＤ情報３０に相当するものである。
【００６４】
また、第１の実施の形態では、電話機を無線子機２と無線親機３で構成したが、有線電話機としても良く、その場合は無線通信に関する部分はなく、その他の各構成部を合わせて有することになる。
【００６５】
次に第１の実施の形態を示すボタン電話システム１の動作について説明する。図９は第１の実施の形態の外線捕捉処理に関わるボタン電話システム１の処理動作を示すシーケンス図である。
【００６６】
図９に示す外線捕捉処理とは、無線子機２において、待機状態の通常表示モードから外線表示モードに設定し、任意外線を捕捉するまでの処理である。
【００６７】
図９において主装置６は、全外線５Ａの状態を常時監視し、外線状態の変化を検出すると(ステップＳ１１)、全外線５Ａの外線状態に関わる外線ＬＥＤ情報を無線親機３に通知する(ステップＳ１２)。尚、外線ＬＥＤ情報は、外線５Ａ毎に運用状態に対応したＬＥＤ色情報及びＬＥＤ点滅周期情報を含むものである。
【００６８】
無線親機３の親機側アプリケーション制御部１７Ｅは、主装置インタフェース１１を通じて主装置６から全外線５Ａの外線ＬＥＤ情報を受信すると、この外線ＬＥＤ情報を親機側メモリ１６に蓄積する(ステップＳ１３)。このとき無線子機２に対しては情報を送らない。
【００６９】
無線子機２の子機側アプリケーション制御部２９Ｆは、操作キー制御部２９Ｄを通じて外線表示モード(表示モード（１）)に関わる表示モード切替キー２２Ｆのキー操作を検出すると(ステップＳ１４)、現在の表示モードの通常モードから切り替えるため、図８に示すダイヤルキー管理テーブル５０に記憶中の外線表示モード(表示モード（１）)の内容に基づき、子機側ＬＣＤ制御部２９Ｂを通じて、ダイヤルキー２２Ａの配列構成で同ダイヤルキー２２Ａに対応した、外線キー表示をＬＣＤ表示部２１に表示する(ステップＳ１５)。
【００７０】
さらに子機側アプリケーション制御部２９Ｆは、子機側無線部２３を通じて、外線表示モード(表示モード（１）)を設定したことを示す外線表示コマンドを無線親機３に通知する(ステップＳ１６)。
【００７１】
無線親機３の親機側アプリケーション制御部１７Ｅは、外線表示コマンドを検出すると、親機側メモリ制御部１７Ｄを通じて、親機側メモリ１６内の子機管理テーブル４０内の同無線子機２の内線番号に対応する現在の表示モードに“表示モード（１）（外線表示モード）”を設定する(ステップＳ１７)。
【００７２】
さらに無線親機３の親機側アプリケーション制御部１７Ｅは、子機管理テーブル４０内の同無線子機２の内線番号に対応する現在の表示モードに“表示モード（１）（外線表示モード）”を設定すると、親機側メモリ１６に蓄積中の現在の外線ＬＥＤ情報を読み出し、この外線ＬＥＤ情報を無線子機２に通知する(ステップＳ１８)。
【００７３】
無線子機２の子機側アプリケーション制御部２９Ｆは、外線ＬＥＤ情報を受信すると、この外線ＬＥＤ情報に基づき、ＬＣＤ表示部２１に表示中の外線キー表示毎に外線５Ａの運用状態（呼状態）を識別表示する(ステップＳ１９)。
【００７４】
例えば“外線２”が着信中の場合、図１０（ａ）に示すように“外線２”に対応する外線キー表示を赤色点滅、また、“外線２”が通話中の場合、図１０（ｂ）に示すように“外線２”に対応する外線キー表示を緑色点灯、“外線２”が保留中の場合、図１０（ｃ）に示すように“外線２”に対応する外線キー表示を緑色点滅、“外線２”が他者使用中の場合、図１０（ｄ）に示すように“外線２”に対応する外線キー表示を赤色点灯とするものである。
【００７５】
主装置６では、外線５Ａの運用状態を常時監視し、外線５Ａに関わる運用状態の変化を検出すると(ステップＳ２０)、外線５Ａの外線ＬＥＤ情報を無線親機３に通知する(ステップＳ２１)。
【００７６】
無線親機３の親機側アプリケーション制御部１７Ｅは、主装置インタフェース１１を通じて、主装置６から外線５Ａの外線ＬＥＤ情報を受信すると、この外線ＬＥＤ情報を親機側メモリ１６に蓄積し(ステップＳ２２)、この親機側メモリ１６に蓄積した最新の外線ＬＥＤ情報を無線子機２に通知する(ステップＳ２３)。
【００７７】
無線子機３の子機側アプリケーション制御部２９Ｆは、外線ＬＥＤ情報を受信すると、この外線ＬＥＤ情報に基づき、ＬＣＤ表示部２１に表示中の外線キー表示毎に外線５Ａの運用状態を識別表示する(ステップＳ２４)。尚、無線子機２のユーザは、ＬＣＤ表示部２１に表示中の外線キー表示に基づき、例えば“外線１”〜“外線１２”までの全１２回線の外線５Ａの運用状態を認識することができる。
【００７８】
さらに無線子機３の子機側アプリケーション制御部２９Ｆは、操作キー制御部２９Ｄを通じて、ＬＣＤ表示部２１に表示中の外線キー表示、例えば赤色点滅中の外線キー表示に対応したダイヤルキー２２Ａのキー操作を検出すると(ステップＳ２５)、ダイヤルキー管理テーブル５０のテーブル内容に基づき、この外線キー表示のダイヤルキー２２Ａに対応した外線の外線捕捉コマンドを読み出し(ステップＳ２６)、この読み出した外線捕捉コマンドを無線親機３に通知する(ステップＳ２７)。
【００７９】
無線親機３の親機側アプリケーション制御部１７Ｅは、無線子機２からの外線捕捉コマンドを受信すると、この外線捕捉コマンドを主装置６に通知する(ステップＳ２８)。
【００８０】
主装置６は、外線捕捉コマンドを受信すると、同外線捕捉コマンドに関わる外線５Ａを捕捉し(ステップＳ２９)、この外線５Ａを捕捉したことで外線５Ａの運用状態の変化を検出し(ステップＳ３０)、この運用状態の変化に関わる外線ＬＥＤ情報を無線親機３に通知する(ステップＳ３１)。
【００８１】
無線親機３の親機側アプリケーション制御部１７Ｅは、外線ＬＥＤ情報を受信すると、この外線ＬＥＤ情報を親機側メモリ１６に蓄積すると共に(ステップＳ３２)、この外線ＬＥＤ情報を無線子機２に通知する(ステップＳ３３)。
【００８２】
無線子機２の子機側アプリケーション制御部２９Ｆは、外線ＬＥＤ情報を受信すると、外線ＬＥＤ情報に基づき、ＬＣＤ表示部２１に表示中の外線キー表示毎に外線５Ａの運用状態を識別表示する(ステップＳ３４)。
【００８３】
そして、主装置６は、外線捕捉した外線５Ａとの通話パス接続指示を無線親機３に通知する(ステップＳ３５)。さらに無線親機３の親機側アプリケーション制御部１７Ｅは、外線捕捉した外線５Ａとの通話パス接続指示を無線子機２に通知する(ステップＳ３６)。その結果、無線子機２は、無線親機３及び主装置６を通じて捕捉外線５Ａとの通話状態となる(ステップＳ３７)。
【００８４】
図９に示す外線捕捉処理によれば、外線表示モード中の無線子機２側のＬＣＤ表示部２１にはダイヤルキー２２Ａの配列構成で同ダイヤルキー２２Ａに対応した外線５Ａ毎の外線キー表示を画面表示し、外線５Ａの運用状態に応じて外線キー表示を識別表示するようにしたので、外線キー表示の識別表示に基づき、ダイヤルキー２２Ａに割当てた外線５Ａの運用状態を認識することができる。
【００８５】
また、外線捕捉処理によれば、外線キー表示に対応したダイヤルキー２２Ａのキー操作を検出すると、この外線キー表示に対応した外線捕捉処理を実行できるようにしたので、わざわざ外線捕捉用キーを専用で増設しなくても、既存のダイヤルキー２２Ａで外線捕捉キーを兼用することができ、その結果、操作キー２２に関わる省スペース化の向上を図ることができる。
【００８６】
第１の実施の形態によれば、例えば外線表示モード(表示モード（１）)に移行する表示モード切替キー２２Ｆのキー操作に応じて、ダイヤルキー２２Ａの配列構成で同ダイヤルキー２２Ａに対応した、例えば外線キー表示をＬＣＤ表示部２１の表示画面上に表示し、主装置６から外線５Ａの運用状態の変化による外線ＬＥＤ情報を蓄積し、外線状態変化に対応した外線キー表示をＬＣＤ表示部２１の表示画面上で識別表示するようにしたので、ユーザは、ＬＣＤ表示部２１の表示画面上で、ダイヤルキー２２Ａに割り当てた外線５Ａに関わる運用状態を認識することができる。
【００８７】
さらに第１の実施の形態によれば、例えば外線キー表示に対応したダイヤルキー２２Ａのキー操作に応じて、外線キー表示に対応した制御動作を実行できるようにしたので、外線捕捉用キーをわざわざ増設しなくても、外線捕捉用キーをダイヤルキー２２Ａで兼用することで操作キー２２の省スペース化を図ることができる。
【００８８】
尚、上記第１の実施の形態においては、無線子機２がダイヤルキー管理テーブル５０を有して無線親機３に対して外線表示コマンドを送っているが、無線親機がダイヤルキー管理テーブルを有して無線子機からの表示切替コマンドにより表示モードを切り替えて該当するキー表示の状態を無線子機に送信するようにしても良い。
【００８９】
尚、上記第１の実施の形態においては、外線表示モードを選択する表示モード切替キー２２Ｆのキー操作を検出すると、ダイヤルキー２２Ａの配列構成で同ダイヤルキー２２Ａに対応した外線キー表示をＬＣＤ表示部２１に画面表示するようにしたが、例えばボイスメール表示モード(図８の表示モード（２）)を選択する表示モード切替キー２２Ｆのキー操作を検出すると、ダイヤルキー２２Ａの配列構成で同ダイヤルキー２２Ａに対応したメールボックス毎のボイスメール用キー表示をＬＣＤ表示部２１に画面表示するものである。この場合、ボイスメール用キー表示ではボイスメール有無等の運用状態を識別表示するようにし、所望のメールボックス番号に相当するボイスメール用キー表示に対応したダイヤルキー２２Ａのキー操作を検出すると、同メールボックス番号に対してボイスメール捕捉動作を実行するものである。
【００９０】
また、上記第１の実施の形態においては、外線捕捉機能やボイスメール捕捉機能だけでなく、様々な割当機能を追加設定することもできるものである。
【００９１】
また、外線表示モード（表示モード（１））及びボイスメール表示モード（表示モード（２））のように複数の表示モードを併用する場合、表示切替キー押下時の表示モード切り替え動作を、通常モード→外線表示モード→ボイスメール表示モード→通常モードのようにローテーションで切り替わるようにして併用することもできる。
【００９２】
また、上記第１の実施の形態においては、無線子機２側で、例えば外線表示モードに移行する表示モード切替キー２２Ｆのキー操作を検出すると、ダイヤルキー２２Ａの配列構成で同ダイヤルキー２２Ａに対応した外線キー表示をＬＣＤ表示部２１の表示画面上に表示するようにしたが、表示モード切替キー２２Ｆのキー操作だけでなく、主装置６からの外線着信信号を受信した場合にも、外線表示モードに移行するようにしても良く、この場合の実施の形態につき、第２の実施の形態として説明する。尚、第１の実施の形態を示すボタン電話システム１と同一の構成については同一符号を付すことで、その重複する構成及び動作の説明については省略する。
【００９３】
(実施の形態２)
図１１は第２の実施の形態の外線表示モード自動設定処理に関わるボタン電話システム１の処理動作を示すシーケンス図である。
【００９４】
図１１に示す外線表示モード自動設定処理とは、例えば無線子機２側で表示モードが通常モード中であっても、主装置６からの外線着信信号を受信すると、表示モードを通常モードから外線表示モードに自動的に切替設定する処理である。
【００９５】
図１１において主装置６は、外線５Ａの状態を常時監視し、外線状態の変化を検出すると(ステップＳ４１)、外線５Ａの外線状態に関わる外線ＬＥＤ情報を無線親機３に通知する(ステップＳ４２)。
【００９６】
無線親機３の親機側アプリケーション制御部１７Ｅは、主装置インタフェース１１を通じて主装置６から外線５Ａの外線ＬＥＤ情報を受信すると、この外線ＬＥＤ情報を親機側メモリ１６に蓄積する(ステップＳ４３)。
【００９７】
さらに、主装置６は、ステップＳ４１にて外線状態の変化、例えば外線着信を検出すると、この外線着信信号を無線親機３に通知する(ステップＳ４４)。無線親機３の親機側アプリケーション制御部１７Ｅは、主装置インタフェース１１を通じて主装置６から外線着信信号を受信すると、親機側無線部１２を通じて同外線着信信号を無線子機２に通知する(ステップＳ４５)。
【００９８】
無線子機２の子機側アプリケーション制御部２９Ｆは、子機側無線部２３を通じて外線着信信号を受信すると、外線着信鳴動動作を実行すると共に(ステップＳ４６)、現在の表示モードの通常モードから切り替えるため、図８に示すダイヤルキー管理テーブル５０に記憶中の外線表示モード(表示モード（１）)の内容に基づき、子機側ＬＣＤ制御部２９Ｂを通じて、ダイヤルキー２２Ａの配列構成で同ダイヤルキー２２Ａに対応した、外線キー表示をＬＣＤ表示部２１に表示する(ステップＳ４７)。
【００９９】
さらに子機側アプリケーション制御部２９Ｆは、子機側無線部２３を通じて、外線表示モード(表示モード（１）)を設定したことを示す外線表示コマンドを無線親機３に通知する(ステップＳ４８)。
【０１００】
無線親機３の親機側アプリケーション制御部１７Ｅは、外線表示コマンドを検出すると、親機側メモリ制御部１７Ｄを通じて、親機側メモリ１６内の子機管理テーブル４０内の同無線子機２の内線番号に対応する現在の表示モードに“表示モード（１）（外線表示モード）”を設定する(ステップＳ４９)。
【０１０１】
さらに無線親機３の親機側アプリケーション制御部１７Ｅは、子機管理テーブル４０内の同無線子機２の内線番号に対応する現在の表示モードに“表示モード（１）（外線表示モード）”を設定すると、親機側メモリ１６に蓄積中の現在の外線ＬＥＤ情報を読み出し、この外線ＬＥＤ情報を無線子機２に通知する(ステップＳ５０)。
【０１０２】
無線子機２の子機側アプリケーション制御部２９Ｆは、外線ＬＥＤ情報を受信すると、この外線ＬＥＤ情報に基づき、ＬＣＤ表示部２１に表示中の外線キー表示毎に外線５Ａの運用状態を識別表示した後(ステップＳ５１)、図９のステップＳ２５以降の処理動作を実行するものである。
【０１０３】
図１１に示す外線表示モード自動設定処理によれば、例えば無線子機２の表示モードが通常モード中に、主装置６から無線親機３経由で外線着信信号を受信すると、無線子機２側では表示モードを外線表示モードに自動的に切替設定するようにしたので、無線子機２のユーザは、表示モード切替キー２２Ｆのキー操作を実行しなくても、通常モードから外線表示モードに自動的に切替設定することができる。
【０１０４】
第２の実施の形態によれば、主装置６から外線着信信号を受信すると、外線に対応した外線キー表示をＬＣＤ表示部２１に画面表示するようにしたので、無線子機２のユーザは、表示モード切替キー２２Ｆのキー操作を実行しなくても、外線着信信号に応じて、自動的に外線キー表示をＬＣＤ表示部２１に画面表示することができる。
【０１０５】
また、上記第２の実施の形態においては、無線子機２側の表示モード切替キー２２Ｆのキー操作ではなく、主装置６からの外線着信信号に応じて無線子機２側の表示モードを、自動的に外線表示モードに切替設定できるようにしたが、外線着信信号の有無に関係なく、主装置６からの指示コマンド、例えば表示モード切替コマンドに応じて無線子機２側の表示モードを外線表示モードに切替設定するようにしても良く、この場合の実施の形態につき、第３の実施の形態として説明する。尚、第１の実施の形態を示すボタン電話システム１と同一の構成については同一符号を付すことで、その重複する構成及び動作の説明については省略する。
【０１０６】
(実施の形態３)
図１２は第３の実施の形態の外線捕捉処理に関わるボタン電話システム１の処理動作を示すシーケンス図である。
【０１０７】
図１２に示す外線捕捉処理とは、主装置６から無線親機３経由の指示コマンドに応じて無線子機２側で外線表示モードに移行し、この外線表示モード中に任意外線を捕捉するまでの処理である。
【０１０８】
図１２において主装置６は、例えば外線表示モードに移行するための表示モード切替コマンドを無線親機３に通知する(ステップＳ６１)。尚、表示モード切替コマンドは、切替指示に関わる表示モード名と、切替指示の無線子機２の内線番号とを含むものとする。
【０１０９】
無線親機３の親機側アプリケーション制御部１７Ｅは、主装置インタフェース１１を通じて主装置６から外線表示モード移行の表示モード切替コマンドを受信すると、親機側無線部１２を通じて同表示モード切替コマンドを無線子機２に通知する(ステップＳ６１Ａ)。
【０１１０】
無線子機２の子機側アプリケーション制御部２９Ｆは、子機側無線部２３を通じて外線表示モード移行の表示モード切替コマンドを受信すると、図８に示すダイヤルキー管理テーブル５０に記憶中の外線表示モード(表示モード（１）)の内容に基づき、子機側ＬＣＤ制御部２９Ｂを通じて、ダイヤルキー２２Ａの配列構成で同ダイヤルキー２２Ａに対応した、外線キー表示をＬＣＤ表示部２１に表示する(ステップＳ６１Ｂ)。尚、無線子機２のユーザは、表示モード切替キー２２Ｆのキー操作を実行しなくても、自動的に外線表示モードに移行したことになる。
【０１１１】
また、無線親機３の親機側アプリケーション制御部１７Ｅは、ステップＳ６１にて受信した外線表示モード移行の表示モード切替コマンドに基づき、切替指示に関わる表示モード(外線表示モード)及び無線子機２の内線番号を抽出し、親機側メモリ制御部１７Ｄを通じて、親機側メモリ１６内の子機管理テーブル４０内の同無線子機２の内線番号に対応する現在の表示モードに“表示モード（１）(外線表示モード)”を設定する(ステップＳ６２)。
【０１１２】
親機側アプリケーション制御部１７Ｅは、子機管理テーブル４０内の同無線子機２の内線番号に対応する現在の表示モードに“表示モード（１）（外線表示モード）”を設定すると、親機側メモリ１６に蓄積中の現在の外線ＬＥＤ情報を読み出し、この外線ＬＥＤ情報を無線子機２に通知する(ステップＳ６３)。
【０１１３】
無線子機２の子機側アプリケーション制御部２９Ｆは、外線ＬＥＤ情報を受信すると、この外線ＬＥＤ情報に基づき、ＬＣＤ表示部２１に表示中の外線キー表示毎に外線５Ａの運用状態を識別表示する(ステップＳ６４)。
【０１１４】
さらに無線子機３の子機側アプリケーション制御部２９Ｆは、操作キー制御部２９Ｄを通じて、ＬＣＤ表示部２１に表示中の外線キー表示に対応したダイヤルキー２２Ａのキー操作を検出すると(ステップＳ６５)、ダイヤルキー管理テーブル５０のテーブル内容に基づき、この外線キー表示のダイヤルキー２２Ａに対応した外線の外線捕捉コマンドを読み出し(ステップＳ６６)、この読み出した外線捕捉コマンドを無線親機３に通知する(ステップＳ６７)。
【０１１５】
無線親機３の親機側アプリケーション制御部１７Ｅは、無線子機２からの外線捕捉コマンドを受信すると、この外線捕捉コマンドを主装置６に通知する(ステップＳ６８)。
【０１１６】
主装置６は、外線捕捉コマンドを受信すると、同外線捕捉コマンドに関わる外線５Ａを捕捉し(ステップＳ６９)、この外線５Ａを捕捉したことで外線５Ａの運用状態の変化を検出し(ステップＳ７０)、例えば通常モードに移行するための表示モード切替コマンドを通常表示情報と共に無線親機３に通知する(ステップＳ７１)。
【０１１７】
また、無線親機３の親機側アプリケーション制御部１７Ｅは、ステップＳ７１にて受信した通常モード移行の表示モード切替コマンドに基づき、切替指示に関わる表示モード(通常モード)及び無線子機２の内線番号を抽出し、親機側メモリ制御部１７Ｄを通じて、親機側メモリ１６内の子機管理テーブル４０内の同無線子機２の内線番号に対応する現在の表示モードに“通常モード”を設定する(ステップＳ７２)。
【０１１８】
無線親機３の親機側アプリケーション制御部１７Ｅは、主装置インタフェース１１を通じて主装置６から通常モード移行の表示モード切替コマンドを受信すると、親機側無線部１２を通じて同表示モード切替コマンドを通常表示情報と共に無線子機２に通知する(ステップＳ７３)。
【０１１９】
無線子機２の子機側アプリケーション制御部２９Ｆは、子機側無線部２３を通じて通常モード移行の表示モード切替コマンドと通常表示情報を受信すると、表示モードを通常モードに切り替え、子機側ＬＣＤ制御部２９Ｂを通じて、送られてきた通常表示情報をＬＣＤ表示部２１に表示する(ステップＳ７４)。つまり、無線子機２のユーザは、表示モード切替キー２２Ｆのキー操作を実行しなくても、外線着信捕捉に応じて、自動的に通常モードに戻って、相手外線の発信者番号や通話時間等の内容を表示部に表示することになる。
【０１２０】
そして、主装置６は、外線捕捉した外線５Ａとのパス接続指示を無線親機３に通知する(ステップＳ７５)。さらに無線親機３の親機側アプリケーション制御部１７Ｅは、外線捕捉した外線５Ａとのパス接続指示を無線子機２に通知する(ステップＳ７６)。その結果、無線子機２は、無線親機３及び主装置６を通じて捕捉外線５Ａとの接続状態となる(ステップＳ７７)。
【０１２１】
図１２に示す外線捕捉処理によれば、無線子機２が主装置６からの外線表示モードに移行するための表示モード切替コマンドを無線親機３経由で受信すると、表示モードを外線表示モードに自動的に切替設定するようにしたので、無線子機２側のユーザは、表示モード切替キー２２Ｆのキー操作を実行しなくても、通常モードから外線表示モードに自動的に切替設定することができる。
【０１２２】
また、図１２に示す外線捕捉処理によれば、外線表示モード中の無線子機２側のＬＣＤ表示部２１にはダイヤルキー２２Ａの配列構成で同ダイヤルキー２２Ａに対応した外線５Ａ毎の外線キー表示を画面表示し、外線５Ａの運用状態に応じて外線キー表示を識別表示するようにしたので、外線キー表示の識別表示に基づき、ダイヤルキー２２Ａに割当てた外線５Ａの運用状態を認識することができることはもちろんのこと、外線キー表示に対応したダイヤルキー２２Ａのキー操作を検出すると、この外線キー表示に対応した外線捕捉処理を実行できるようにしたので、わざわざ外線捕捉用キーを専用で増設しなくても、既存のダイヤルキー２２Ａで外線捕捉キーを兼用することができ、その結果、操作キー２２に関わる省スペース化の向上を図ることができる。
【０１２３】
また、図１２に示す外線捕捉処理によれば、主装置６側で外線表示モード中に外線着信に対する応答操作に応じて同外線を捕捉すると、通常モードに移行するための表示モード切替コマンドを無線親機３経由で無線子機２に通知し、無線子機２側では、通常モード移行の表示モード切替コマンドを受信すると、表示モードが通常モードに自動的に戻るようにしたので、無線子機２側のユーザは、表示モード切替キー２２Ｆのキー操作を実行しなくても、外線表示モードから通常モードに自動的に戻すことができる。
【０１２４】
第３の実施の形態によれば、無線親機３経由で主装置６から外線表示モード移行の表示モード切替コマンドを受信すると、外線キー表示をＬＣＤ表示部２１に画面表示するようにしたので、無線子機２のユーザは、表示モード切替キー２２Ｆのキー操作を実行しなくても、主装置６からの外線表示モード移行の表示モード切替コマンドに応じて、自動的に外線キー表示を画面表示することができる。
【０１２５】
尚、上記第１乃至３の実施の形態においては、無線親機３及び多機能電話機４を収容接続すると共に、公衆網５の複数の外線５Ａを収容接続する主装置６を例に挙げて説明したが、例えば構内交換機等であっても、同様の効果が得られることは言うまでもない。
【産業上の利用可能性】
【０１２６】
本発明の電話機によれば、表示切替キーのキー操作に応じて、これら複数の操作キーの配列構成で前記操作キーに対応したキー表示を表示手段の表示画面上に表示し、前記キー表示に任意機能を割り当て、前記任意機能に関わる状態変化を逐次蓄積し、前記機能に関わるキー表示の状態を前記表示手段の表示画面上に表示すると共に、前記キー表示に対応した前記操作キーのキー操作に応じて、同キー表示に対応した機能に関わる制御動作を実行するようにしたので、操作キーに対応したキー表示に、例えば外線捕捉機能等の任意機能を割当可能にすることで操作キーの省スペース化を図ることができると共に、キー表示で、例えば外線捕捉機能等の任意機能に関わる運用状態、例えば保留中及び着信中等を把握することができるため、例えば企業内の無線通信システムに使用する無線子機に有用である。
【図面の簡単な説明】
【０１２７】
【図１】本発明の電話機に関わる第１の実施の形態を示すボタン電話システムの概略構成を示すシステム図
【図２】第１の実施の形態に関わる無線親機内部の概略構成を示すブロック図
【図３】第１の実施の形態に関わる無線子機の操作盤面を示す説明図
【図４】第１の実施の形態に関わる無線子機内部の概略構成を示すブロック図
【図５】第１の実施の形態に関わる主装置内部の外線管理テーブルのテーブル内容を端的に示す説明図
【図６】第１の実施の形態に関わる外線ＬＥＤ情報のデータ構成を端的に示す説明図
【図７】第１の実施の形態に関わる無線親機側の子機管理テーブル内容を端的に示す説明図
【図８】第１の実施の形態に関わる無線子機側のダイヤルキー管理テーブルのテーブル内容を端的に示す説明図
【図９】第１の実施の形態の外線捕捉処理に関わる無線通信システム内部の処理動作を示すシーケンス図
【図１０】第１の実施の形態に関わる無線子機の表示画面（外線捕捉用キー表示）を示す説明図
【図１１】第２の実施の形態の外線表示モード自動設定処理に関わる無線通信システムの処理動作を示すシーケンス図
【図１２】第３の実施の形態の外線捕捉処理に関わる無線通信システムの処理動作を示すシーケンス図
【符号の説明】
【０１２８】
２  無線子機(電話機)
３  無線親機(電話機)
１６  親機側メモリ
１７Ｅ  親機側アプリケーション制御部（制御手段及び設定変更手段）
２１  ＬＣＤ表示部(表示手段)
２２  操作キー
２９Ｆ  子機側アプリケーション制御部（制御手段及び設定変更手段）
３０  外線ＬＥＤ情報（状態蓄積手段）
５０  ダイヤルキー管理テーブル(機能記憶手段)
【図１】
0004556865.tif 000002
【図２】
0004556865.tif 000003
【図３】
0004556865.tif 000004
【図４】
0004556865.tif 000005
【図５】
0004556865.tif 000006
【図６】
0004556865.tif 000007
【図７】
0004556865.tif 000008
【図８】
0004556865.tif 000009
【図９】
0004556865.tif 000010
【図１０】
0004556865.tif 000011
【図１１】
0004556865.tif 000012
【図１２】
0004556865.tif 000013